(57)【要約】【課題】防虫網を駆動アームに固定する際に、駆動アーム等に格別の加工を施す必要がなく、容易に設置することができる防虫網取付具を提供することを目的とする。【解決手段】屋根に一側縁を枢支された窓２０と該窓２０を開放および閉鎖する駆動アーム２４ｆを有する開閉機構２４と前記窓２０の開放状態における前記窓２０の開口部２１を囲繞する防虫網２２とを有する窓構造において前記窓２０の閉鎖動作に伴い前記防虫網２２を室内方向へ収納するように前記防虫網２２を前記駆動アーム２４ｆに取り付ける防虫網取付具３０であって、前記駆動アーム２４ｆを挟持する嵌着挟持部３１ａと該嵌着挟持部３１ａに連設して前記防虫網２２を挟持する挟持部３１ｂとを備える取付具本体３１と、前記挟持部３１ｂに接合可能な当接部材３２と、前記防虫網２２を前記挟持部３１ｂと前記当接部材３２とで挟着して固定する固着手段３２，３３とを備えるよう構成した。【選択図】    図６
0003114901.tif 000002
【実用新案登録請求の範囲】
【請求項１】
屋根に一側縁を枢支された窓と該窓を開放および閉鎖する駆動アームを有する開閉機構と前記窓の開放状態における前記窓の開口部を囲繞する防虫網とを有する窓構造において前記窓の閉鎖動作に伴い前記防虫網を室内方向へ収納するように前記防虫網を前記駆動アームに取り付ける防虫網取付具であって、
前記駆動アームを挟持する嵌着挟持部と該嵌着挟持部に連設して前記防虫網を挟持する挟持部とを備える取付具本体と、前記挟持部に接合可能な当接部材と、前記防虫網を前記挟持部と前記当接部材とで挟着して固定する固着手段とを備えることを特徴とする防虫網取付具。
【請求項２】
前記取付具本体は、対向する嵌着挟持板の一方の長辺端部を連結して断面略コ字状に形成すると共に、一方の嵌着挟持板の外方にネジ溝を形成するようにリブを断面Ｌ字状に突設形成し、前記防虫網を、前記連結部と前記当接部材とで挟着して前記当接部材をネジ材でネジ溝に強制螺入して固定してなることを特徴とする請求項１に記載の防虫網取付具。
【請求項３】
前記取付具本体は、対向する嵌着挟持板の一方の長辺端部を断面略Ｃ字形状の長筒状の被嵌合部で連結して形成すると共に、前記被嵌合部にネジ溝を凹成し、前記防虫網を前記被嵌合部と前記当接部材とで挟着して、前記当接部材をネジ材でネジ溝に強制螺入して固定してなることを特徴とする請求項１に記載の防虫網取付具。
【請求項４】
前記ネジ溝を前記取付具本体の全長に亘って設けたことを特徴とする請求項２又は３に記載の防虫網取付具。
【請求項５】
請求項１乃至４の何れかに記載の防虫網取付具を備えることを特徴とする防虫網収納装置。
【請求項６】
請求項１乃至４の何れかに記載の防虫網取付具を備えることを特徴とする農業用温室。
【考案の詳細な説明】
【技術分野】
【０００１】
本考案は、例えば、農業用温室や農業用ハウス（以下「農業用温室」という）の屋根等に設けられた開閉式の窓から害虫が侵入することを防止する窓用防虫網の収納装置において、前記窓の閉鎖動作に伴い前記防虫網を室内方向へ引き込み、窓閉鎖時において前記防虫網が室外にはみ出ることなく収納できるように、開閉動作を行う駆動アームに前記防虫網を取り付ける防虫網取付具並びにそれを備えた防虫網収納装置および農業用温室に関する。
【背景技術】
【０００２】
従来、農業用温室には、屋根に換気用又は採光用等のために窓（天窓等）が設けられるとともに、前記窓の開口部から害虫が侵入することがないように、又は、農作物栽培に使用する受粉用昆虫や天敵昆虫（生物農薬）が室内から逃げ出して生態系に悪影響を及ぼさないように、前記窓の開口部に防虫網が取り付けられているものがある。
【０００３】
前記農業用温室は、屋根に開口部を形成し、該開口部の一側縁に天窓を開閉自在に枢支すると共に、前記天窓の開放側縁には、上下駆動により前記天窓を開閉する駆動アームが取り付けられ、さらに、一端を前記開口部の対向側縁に固定し、かつ、他端を開放状態における天窓の他側縁にそれぞれ固定した防虫網により、天窓開放部分を囲繞している。
【０００４】
しかしながら、前記構造においては、天窓の開閉駆動時に強風等によって、防虫網が天窓の側縁、窓開口の側縁又は駆動アーム等に引っかかり破損する場合や、天窓の閉鎖動作時に防虫網が室外にはみ出した状態で天窓が閉鎖してしまい、前記防虫網のはみ出し部分が風でばたついて破損したり、雪溜まりができる原因となる場合がある。
【０００５】
これらの問題を解決するために、例えば、実用新案登録第３０２６４９５号に記載の防虫網収納装置が提案されている。前記の防虫網収納装置は、図１３に示すように、農業用温室１Ａの屋根２Ａの一部に設けた開口部３Ａと、該開口部３Ａの一端のヒンジ部４Ａを介して開閉自在に設けられた天窓５Ａと、農業用温室１Ａの室内から延びていて前記天窓５Ａを開閉駆動する駆動アーム６Ａとからなり、前記天窓５Ａの開放時に害虫が侵入するのを防ぐための防虫網７Ａを備えた農業用温室１Ａの窓構造において、前記防虫網７Ａの一端を前記開口部３Ａの内側縁部に、他端を最大開放状態とした天窓５Ａの側縁部にそれぞれ固定すると共に天窓５Ａの前端縁と開口部３Ａの内側縁部との間に張設された防虫網７Ａの中間部を前記駆動アーム６Ａに固定し、駆動アーム６Ａの引き込み動作により防虫網７Ａが室内側に引き込まれるように構成されている。
【０００６】
【特許文献１】実用新案登録第３０２６４９５号公報
【考案の開示】
【考案が解決しようとする課題】
【０００７】
しかしながら、前記実用新案登録第３０２６４９５号公報に記載された防虫網収納装置は、前記防虫網７Ａの中間部を前記駆動アーム６Ａに固定するのに際して、前記駆動アーム６Ａの所定位置に板ばね型の受け具６Ｂを固定し、前記防虫網７Ａを押え具６Ｃで押し込んで固定しているので、予め前記駆動アーム６Ａに板ばね型の受け具６Ｂを固定しておく必要がある。したがって、例えば前記駆動アーム６Ａに穴を開設してボルトに依って固定する場合は、取付作業が煩雑となり、また前記駆動アーム６Ａの強度の点でも問題が生じる。特に、防虫網を事後的に取り付ける場合においては、高所での煩雑な取付作業は危険を伴う。また、前記の如き固定手段においては、取付位置を事後的に調整することができず、複数の前記駆動アーム６Ａに取り付ける場合において、取付位置にずれが生じた場合には、前記防虫網６Ａの引込動作がスムースに行われないという問題も生じる。
【０００８】
本考案は、かかる事情に鑑みてなされたものであって、防虫網を駆動アームに固定するのに際して、構造が簡単で、かつ、駆動アーム等に格別の加工を施す必要がなく、容易に設置することができる防虫網取付具並びにそれを備えた防虫網収納装置および農業用温室を提供することを目的とする。
【課題を解決するための手段】
【０００９】
請求項１に記載の防虫網取付具は、屋根に一側縁を枢支された窓と該窓を開放および閉鎖する駆動アームを有する開閉機構と前記窓の開放状態における前記窓の開口部を囲繞する防虫網とを有する窓構造において前記窓の閉鎖動作に伴い前記防虫網を室内方向へ収納するように前記防虫網を前記駆動アームに取り付ける防虫網取付具であって、前記駆動アームを挟持する嵌着挟持部と該嵌着挟持部に連設して前記防虫網を挟持する挟持部とを備える取付具本体と、前記挟持部に接合可能な当接部材と、前記防虫網を前記挟持部と前記当接部材とで挟着して固定する固着手段とを備えることを特徴とする。
【００１０】
請求項１に記載の防虫網取付具にあっては、嵌着挟持部によって駆動アームに取り付けることができるので、駆動アームに格別な加工を施さなくても取り付けることができ、また、取付作業も容易に行うことができる。また、構造が簡単であるため、製造を容易かつ安価に行うことができる。
【００１１】
請求項２に記載の防虫網取付具は、請求項１記載の防虫網取付具において、対向する嵌着挟持板の一方の長辺端部を連結して断面略コ字状に形成すると共に、一方の嵌着挟持板の外方にネジ溝を形成するようにリブを断面Ｌ字状に突設形成し、前記防虫網を、前記連結部と前記当接部材とで挟着して前記当接部材をネジ材でネジ溝に強制螺入して固定してなることを特徴とする。
【００１２】
請求項２に記載の防虫網取付具にあっては、嵌着挟持板の外方に設けたネジ溝に前記当接部材をネジ材で強制螺入して固定することができるので、前記防虫網を、前記連結部と前記当接部材とで挟着して固定する作業が容易となる。
【００１３】
請求項３に記載の防虫網取付具は、請求項１記載の防虫網取付具において、対向する嵌着挟持板の一方の長辺端部を断面略Ｃ字形状の長筒状の被嵌合部で連結して形成すると共に、前記被嵌合部にネジ溝を凹成し、前記防虫網を前記被嵌合部と前記当接部材とで挟着して、前記当接部材をネジ材でネジ溝に強制螺入して固定してなることを特徴とする。
【００１４】
請求項３に記載の防虫網取付具にあっては、被嵌合部に設けたネジ溝に前記当接部材をネジ材で強制螺入して固定することができるので、前記防虫網を、前記連結部と前記当接部材とで挟着して固定する作業が容易となる。
【００１５】
請求項４に記載の防虫網取付具は、請求項２又は３に記載の防虫網取付具において、前記ネジ溝を前記取付具本体の全長に亘って設けたことを特徴とする。
【００１６】
請求項４に記載の防虫網取付具にあっては、前記取付具本体の全長に亘ってネジ溝を設けているので、ネジ溝に前記当接部材をネジ材で強制螺入して固定する際に、所望の位置にて取り付けることができ、前記防虫網の固定作用が容易となる。
【００１７】
請求項５に記載の防虫網収納装置は、請求項１乃至４の何れか記載の防虫網取付具を備えることを特徴とする。
【００１８】
請求項５に記載の防虫網収納装置にあっては、請求項１乃至４の何れかに記載の防虫網取付具を備えているので、前記防虫網取付具の嵌着挟持部によって駆動アームに取り付けることができ、駆動アームに格別な加工を施さなくても取り付けることができ、取付作業も容易に行うことができる。また、構造が簡単であるため、製造を容易かつ安価に行うことができる。
【００１９】
請求項６に記載の農業用温室は、請求項１乃至４の何れかに記載の防虫網取付具を備えることを特徴とする。
【００２０】
請求項６に記載の農業用温室にあっては、請求項１乃至４の何れかに記載の防虫網取付具を備えているので、前記防虫網取付具の嵌着挟持部によって駆動アームに取り付けることができ、駆動アームに格別な加工を施さなくても取り付けることができ、取付作業も容易に行うことができる。また、構造が簡単であるため、製造を容易かつ安価に行うことができる。
【考案の効果】
【００２１】
請求項１に記載の防虫網取付具によれば、屋根に一側縁を枢支された窓と該窓を開放および閉鎖する駆動アームを有する開閉機構と前記窓の開放状態における前記窓の開口部を囲繞する防虫網とを有する窓構造において前記窓の閉鎖動作に伴い前記防虫網を室内方向へ収納するように前記防虫網を前記駆動アームに取り付ける防虫網取付具であって、前記駆動アームを挟持する嵌着挟持部と該嵌着挟持部に連設して前記防虫網を挟持する挟持部とを備える取付具本体と、前記挟持部に接合可能な当接部材と、前記防虫網を前記挟持部と前記当接部材とで挟着して固定する固着手段とを備えるので、前記嵌着挟持部によって前記駆動アームに取り付けることができ、前記駆動アームに格別な加工を施さなくても取り付けることができる。また、取付作業も容易に行うことができ、さらに、構造が簡単であるため、製造を容易かつ安価に行うことができる。
【００２２】
請求項２に記載の防虫網取付具によれば、対向する嵌着挟持板の一方の長辺端部を連結して断面略コ字状に形成すると共に、一方の嵌着挟持板の外方にネジ溝を形成するようにリブを断面Ｌ字状に突設形成し、前記防虫網を、前記連結部と前記当接部材とで挟着して前記当接部材をネジ材でネジ溝に強制螺入して固定しているので、嵌着挟持板の外方に設けたネジ溝に前記当接部材をネジ材で強制螺入して固定することができ、前記防虫網を、前記連結部と前記当接部材とで挟着して固定する作業が容易となる。
【００２３】
請求項３に記載の防虫網取付具によれば、対向する嵌着挟持板の一方の長辺端部を断面略Ｃ字形状の長筒状の被嵌合部で連結して形成すると共に、前記被嵌合部にネジ溝を凹成し、前記防虫網を前記被嵌合部と前記当接部材とで挟着して、前記当接部材をネジ材でネジ溝に強制螺入して固定しているので、前記被嵌合部に設けた前記ネジ溝に前記当接部材をネジ材で強制螺入して固定することができ、前記防虫網を、前記連結部と前記当接部材とで挟着して固定する作業が容易となる。
【００２４】
請求項４に記載の防虫網取付具によれば、前記ネジ溝を前記取付具本体の全長に亘って設けているので、前記ネジ溝に前記当接部材をネジ材で強制螺入して固定する際に、所望の位置にて取り付けることができ、前記防虫網の固定作用が容易となる。
【００２５】
請求項５に記載の防虫網収納装置によれば、請求項１記載の防虫網取付具を備えているので、前記防虫網取付具の嵌着挟持部によって駆動アームに取り付けることができ、駆動アームに格別な加工を施さなくても取り付けることができ、取付作業も容易に行うことができる。また、構造が簡単であるため、製造を容易かつ安価に行うことができる。
【００２６】
請求項６に記載の農業用温室によれば、請求項１に記載の防虫網取付具を備えているので、前記防虫網取付具の嵌着挟持部によって駆動アームに取り付けることができ、駆動アームに格別な加工を施さなくても取り付けることができ、取付作業も容易に行うことができる。また、構造が簡単であるため、製造を容易かつ安価に行うことができる。
【考案を実施するための最良の形態】
【００２７】
以下、本考案を実施するための最良の形態を図面に基づいて具体的に説明する。
【００２８】
（第１の実施の形態）
【００２９】
図１は、本考案にかかる第１の実施の形態の防虫網収納装置を備えた農業用温室の概略斜視図であり、図２は、農業用温室の要部断面図である。
【００３０】
図１および図２において、１０は農業用温室であり、１１は支柱である。該支柱１１は、横方向（間口方向）と奥行方向に夫々複数本が立設されており、該支柱１１の上部には複数の合掌材１４が、頂部において山型となるように突合状態で、奥行方向に向けて並設されている。前記合掌材１４の上面には、前記合掌材１４と直交するように奥行方向に向けて、断面略Ｃ字状の長尺状のもや材１５が所定間隔を開けて取り付けられており、該もや材１５の上には、垂木材１３が前記合掌材１４と並行して架設されており、前記屋根面を支持している。また、前記合掌材１４の頂部には、図３および図４に詳細に示すように、棟材取付金具１６が取り付けられており、該棟材取付金具１６には、奥行方向に向けて、長尺状の棟材１７がボルトＢとナットＮにより接合されている。
【００３１】
図中２０は、天窓であり、該天窓２０は、長尺状の天窓上枠材２０ａと長尺状の天窓下枠材２０ｂとの間に、複数個の縦桟を架設して構成されており、前記天窓上枠材２０ａの端部にはヒンジ部２０ｄが形成されており、前記天窓下枠材２０ｂの下部には、防虫網受部２０ｃが形成されている。
【００３２】
そして、前記棟材１７の上部一側にはヒンジ受部１７ａが形成されており、前記天窓上枠材２０ａのヒンジ部２０ｄを回動自在に抱持させている。さらに、前記天窓２０の開口部２１を囲繞するように防虫網２２が張設されており、前記開口部２１からの害虫の侵入又は受粉用等昆虫の逃走を防止している。
【００３３】
図中２４は、前記天窓２０の開閉機構であり、該開閉機構２４は、前記合掌材１４の下部側に取り付けた支持部材１２に架設した回転軸２４ａと、該回転軸２４ａに挿通支持される筒体２４ｂと、該筒体２４ｂの長さ方向中間に設けた多数の歯部２４ｄと、該歯部２４ｄに噛合する多数の歯溝２４ｅと、前記筒体２４ｂの回転により往復動される上下方向に延びる駆動アーム２４ｆ及び前記駆動アーム２４ｆの往復動を案内する案内部２４ｈを持った二股状支持体２４ｉとを備えている。そして、前記回転軸２４ａを手作業又はモータ（図示せず）などを用いて機械的に正逆回転させ、これに伴い前記筒体２４ｂを正逆回転させて、前記筒体２４ｂの歯部２４ｄに噛合する前記駆動アーム２４ｆを、揺動させながら上下動させて、これにより、該駆動アーム２４ｆの先端に取り付けた前記天窓２０の他側縁を上下動させて前記天窓２０の開放および閉鎖を行っている。なお、図１および図２は、前記天窓２０を開放した状態の概略図である。
【００３４】
図３は、開放状態の天窓および天窓周辺の拡大断面図であり、図４は、閉鎖状態の天窓および天窓周辺の要部拡大断面図であり、図５は、防虫網取付具の取付状態を示す概略図であり、図６は、防虫網取付具の取付手順を示す概略図である。
【００３５】
図３乃至図６において、２３は防虫網収納装置であり、前記駆動アーム２４ｆを含む前記開閉機構２４および後述する防虫網取付具３０とから構成される。
【００３６】
前記防虫網取付具３０は、本考案に係る第１の実施の形態の防虫網取付具であり、図５及び図６に詳細に示すように、前記駆動アーム２４ｆに外嵌して固定する取付具本体３１と、該取付具本体３１に嵌合する当接部材３２と、固着手段（タッピングネジ３３）とから構成されている。前記取付具本体３１は、アルミニュム製の長方形の板状の嵌着挟持板３１ａ，３１ａの一方の長辺端部を長方形状の板材３１ｂで連結して、全体として横断面略コ字状に形成されており、前記嵌着挟持板３１ａ，３１ａの略中央部には、ボルト孔３１ｃ，３１ｃが夫々開設すると共に、一方の前記嵌着挟持板３１ａには、前記ボルト孔３１ｃの両側にボルト３４の供回りを防止するための突条３１ｄ，３１ｄを２条設けている。さらに、一方の嵌着挟持板３１ａの外方にネジ溝３１ｅを形成するようにリブ３１ｆを断面Ｌ字状に突設形成している。
【００３７】
一方、前記当接部材３２は、アルミニュウム製の長方形状の板材の長辺両端部にリブを形成して横断面略Ｈ字状に成型されており、略中央部にネジ孔３２ａを開設している。
【００３８】
以上の構成からなる防虫網取付具３０を用いて、前記駆動アーム２４ｆに前記防虫網２２を固定するには、先ず、図６（ａ）に示すように、前記駆動アーム２４ｆに、前記取付本体３１を開放端から突き当たりまで嵌め込んで、前記ボルト孔３１ｃ，３１ｃに前記ボルト３４を挿通し、ナット３５で締結して、前記駆動アーム２４ｆに前記取付本体３１を固定する。このように、前記防虫網取付具３０は、前記駆動アーム２４ｆに外嵌して固定するので、前記駆動アーム２４ｆに、格別、取付孔を設けたり、溶接固定する必要はなく、取付孔の開設による強度の減少が防止でき、また、溶接等の作業を要しないため、前記駆動アーム２４ｆに容易に取り付けることができる。
【００３９】
そして、図６（ｂ）に示すように、前記取付具本体３１に、前記防虫網２２を固定する場合は、前記当接部材３２を宛い前記当接部材３２に開設したネジ孔３２ａを通して、前記ネジ溝３１ｅにタッピングネジ３３を強制的にねじ込み、前記取付具本体３１と前記当接部材３２とで前記防虫網２２を挟持するように固着するのである。このとき、前記ネジ溝３１ｅは該取付具本体３１の全長（長手方向）に亘って形成されているので、前記当接部材３２を所望の位置にて固着することができる。なお、容易に製造できるように、ネジ溝３１ｅとしたが、円形のネジ孔（図示せず）を開設してもよい。
【００４０】
図７は、天窓を最大限に開放した状態を室内から示す斜視図であり、図８は、天窓を閉鎖した状態を室内から示す斜視図である。
【００４１】
図７に示すように、前記天窓２０を最大限に開放した状態では、前記駆動アーム２４ｆは、前記天窓下枠材２０ｂを最大限上方に突き上げた状態であり、前記駆動アーム２４ｆの長手方向上方に取り付けた前記防虫網取付具３０に、前記天窓２０の開口幅の略中間部で前記防虫網２２を固定している。このとき、前記防虫網取付具３０は、前記ボルト３４の締結によって前記駆動アーム２４ｆに固定されているので、前記駆動アーム２４ｆの長手方向における固定位置を容易に調整することができる。したがって、複数の前記駆動アーム２４ｆに前記防虫網２２を固定している場合、開閉動作がスムースに行える固定位置に、事後的に取り付け調整を行うことができる。したがって、図７に示す天窓の開放状態から図８に示す天窓の閉鎖状態に移行した場合においても、前記防虫網２２をスムースに収納することができる。
【００４２】
図９は、第１の実施の形態の他の例を示す断面図である。なお、以後の実施の態様において、図１乃至図６と共通する部分には同一符合を付して説明を省略する。
【００４３】
図９に示す防虫網取付具４０は、前記駆動アーム２４ｆに外嵌して固定する取付具本体４１と、該取付具本体４１に室外側から接合させる当接部材３２と、固着手段（タッピングネジ３３）とから構成されている。そして、前記取付具本体４１の前記嵌着挟持板３１ａ，３１ａの長辺端部を中実の矩形状の被接合部４１ｂで連設しており、該被接合部４１ｂには、長方形状の当接部材３２を固着するように、リブ４１ｅが延設されており、該リブ４１ｅにはネジ孔４１ｆが開設されている。
【００４４】
前記取付具本体４１に、前記防虫網２２を固定する場合は、予め前記駆動アーム２４ｆに取り付けた前記取付具本体４１に、室外側から前記当接部材３２を宛い前記当接部材３２に開設したネジ孔３２ａを通して前記ネジ孔４１ｆにタッピングネジ３３をねじ込み、前記防虫網２２を挟持して固着するのである。このとき、前記当接部材３２は、前記取付本体４１の側方から宛われているので、前記防虫網２２の固着作業を側方から行うことができ、前記防虫網２２の固着作業は、さらに容易に行うことができる。
【００４５】
図１０は、第１の実施の形態の他の例を示す断面図である。図１０に示す防虫網取付具５０は、前記駆動アーム２４ｆに嵌着して固定する取付具本体５１と、該取付具本体５１に室外側から接合させる当接部材５２と、タッピングネジ３３とから構成されている。そして、前記取付具本体５１の前記嵌着挟持板３１ａ，３１ａの長辺端部を断面略Ｃ字形状の長筒状の被接合部５１ｂで連設しており、該被接合部５１ｂには、断面湾曲形状の当接部材５２を固着するように、ネジ溝３１ｅが長手方向に亘って窪設されている。
【００４６】
そして、前記取付具本体５１に、前記防虫網２２を固定する場合は、予め前記駆動アーム２４ｆに取り付けた前記取付具本体５１に、室外側から前記当接部材５２を宛い前記当接部材５２に開設したネジ孔５２ａを通して前記ネジ溝３１ｅにタッピングネジ３３をねじ込み、前記防虫網２２を挟持して固着するのである。なお、前記被接合部５１ｂは断面略Ｃ字形状の長筒状に形成したが、中実に形成してもよい。また、その形状も方形状に形成してもよく、形状等は何ら限定されるものではない。
【００４７】
（第２の実施の形態）
【００４８】
図１１は、本考案に係る第２の実施の形態の防虫網取付具の取付状態を示す概略図であり、図１２は、図１１の防虫網取付具の取付手順を示す概略図である。
【００４９】
図１１及び図１２において、６０は、本考案に係る第２の実施の形態の防虫網取付具であり、前記駆動アーム２４ｆに嵌着して固定する取付具本体６１と、該取付具本体６１に嵌合する嵌合部材６２とから構成されている。そして、前記取付具本体６１は、長方形の板状の嵌着挟持板３１ａ，３１ａの長辺端部を断面略Ｃ字形状の長筒状の被嵌合部６１ｂで連設されている。前記嵌合部材６２は、可撓性を有する合成樹脂等により、断面略Ｃ字形状の筒状に形成されており、予め金属製のリング状止金具６３が嵌装されている。
【００５０】
以上の構成からなる防虫網取付具６０を用いて、前記駆動アーム２４ｆに前記防虫網２２を固定するには、先ず、図１２（ａ）に示すように、前記駆動アーム２４ｆに、前記取付本体６１を開放端から突き当たりまで嵌め込んで、前記ボルト孔３１ｃ，３１ｃに前記ボルト３４を挿通し、ナット３５で締結して、前記駆動アーム２４ｆに前記取付本体６１を固定する。
【００５１】
そして、図１２（ｂ）に示すように、前記防虫網２２を、前記被嵌合部６１ｂと前記嵌合部材６２と間で挟持するように、予め前記止金具６３を嵌め込んだ前記嵌合本体６２を、前記温室１０の室外側から、前記被嵌合部６１ｂの長手方向における略中間部に強制的に嵌合することにより、前記防虫網２２を前記駆動アーム２４ｆの長手方向の中間部より上方の位置に固定するのである。
【００５２】
図１３は、第２の実施の形態の他の例を示す断面図である。前述の防虫網取付具６０では、被嵌合部６１ｂは、断面略Ｃ字形状の長筒状に形成したが、図１３に示す防虫網取付具７０のように、取付本体７１の被嵌合部７１ｂは、断面略角形状の長筒状に形成してもよい。この場合、前記被嵌合部７１ｂに嵌合して前記防虫網２２を固定する嵌合本体７２は、係止片７２ａを備える、前記被嵌合部７１ｂに嵌合可能な略角形状として形成する。前記防虫網取付具７０の嵌合本体７２は、前記係止片７２ａにより、前記被嵌合部７１ｂに確実に嵌合されているため、前記防虫網取付具６０のリング状止金具６３のような固着部材を要せず、部品点数を削減することができる。
【図面の簡単な説明】
【００５３】
【図１】本考案にかかる第１の実施の態様の防虫網取付具置を備えた農業用温室の概略斜視図である。
【図２】農業用温室の要部断面図である。
【図３】開放状態の天窓および天窓周辺の拡大断面図である。
【図４】閉鎖状態の天窓および天窓周辺の要部拡大断面図である。
【図５】防虫網取付具の取付状態を示す概略図である。
【図６】防虫網取付具の取付手順を示す概略図である。
【図７】天窓を最大限に開放した状態を室内から示す斜視図である。
【図８】天窓を閉鎖した状態を室内から示す斜視図である。
【図９】第１の実施の形態の他の例を示す断面図である。
【図１０】第１の実施の形態の他の例を示す断面図である。
【図１１】第２の実施の形態の防虫網取付具の断面図である。
【図１２】図１１の防虫網取付具の取付状態を示す概略図である。
【図１３】第２の実施の形態の他の例を示す断面図である。
【図１４】従来例を示す要部側面図である。
【符号の説明】
【００５４】
１０    農業用温室
１１    支柱
１２    支持部材
１３    垂木材
１４    合掌材
１５    もや材
１６    棟材取付金具
１７    棟材
１７ａ  ヒンジ受部
２０    天窓
２０ａ  天窓上枠材
２０ｂ  天窓下枠材
２０ｃ  防虫網受部
２０ｄ  ヒンジ部
２１    開口部
２２    防虫網
２３    収納装置
２４    開閉機構
２４ａ  回転軸
２４ｂ  筒体
２４ｄ  歯部
２４ｅ  歯溝
２４ｆ  駆動アーム
２４ｈ  案内部
２４ｉ  二股状支持体
３０    防虫網取付具
３１    取付具本体
３１ａ  嵌着挟持板
３１ｂ  被嵌合部
３１ｃ  ボルト孔
３１ｄ  突条
３１ｅ  ネジ溝
３２    当接部材
３３    タッピングネジ
３４    ボルト
３５    ナット
【図１】
0003114901.tif 000003
【図２】
0003114901.tif 000004
【図３】
0003114901.tif 000005
【図４】
0003114901.tif 000006
【図５】
0003114901.tif 000007
【図６】
0003114901.tif 000008
【図７】
0003114901.tif 000009
【図８】
0003114901.tif 000010
【図９】
0003114901.tif 000011
【図１０】
0003114901.tif 000012
【図１１】
0003114901.tif 000013
【図１２】
0003114901.tif 000014
【図１３】
0003114901.tif 000015
【図１４】
0003114901.tif 000016
【手続補正書】
【提出日】平成17年8月19日(2005.8.19)
【手続補正１】
【補正対象書類名】明細書
【補正対象項目名】０００５
【補正方法】変更
【補正の内容】
【０００５】
これらの問題を解決するために、例えば、実用新案登録第３０２６４９５号に記載の防虫網収納装置が提案されている。前記の防虫網収納装置は、図１４に示すように、農業用温室１Ａの屋根２Ａの一部に設けた開口部３Ａと、該開口部３Ａの一端のヒンジ部４Ａを介して開閉自在に設けられた天窓５Ａと、農業用温室１Ａの室内から延びていて前記天窓５Ａを開閉駆動する駆動アーム６Ａとからなり、前記天窓５Ａの開放時に害虫が侵入するのを防ぐための防虫網７Ａを備えた農業用温室１Ａの窓構造において、前記防虫網７Ａの一端を前記開口部３Ａの内側縁部に、他端を最大開放状態とした天窓５Ａの側縁部にそれぞれ固定すると共に天窓５Ａの前端縁と開口部３Ａの内側縁部との間に張設された防虫網７Ａの中間部を前記駆動アーム６Ａに固定し、駆動アーム６Ａの引き込み動作により防虫網７Ａが室内側に引き込まれるように構成されている。
【手続補正２】
【補正対象書類名】図面
【補正対象項目名】図１０
【補正方法】変更
【補正の内容】
【図１０】
0003114901.tif 000017